(57)【要約】【課題】ネジ等を用いることなく絶縁監視端末装置１を壁面３に取り付ける。【解決手段】絶縁監視端末装置１の背面の四隅と壁面３の４箇所とに貼着部材を介して面ファスナーを取り付け、夫々の面ファスナーどうしを着脱することにより着脱自在な装着手段２を介して、壁面３に着脱自在に絶縁監視端末装置１を装着する。【選択図】  図１
2004169356.tif 000002
【特許請求の範囲】
【請求項１】
被装着部材と壁面とに、相互に着脱自在に係合する第１部材と第２部材とを個別に結合させた後に、前記第１部材と前記第２部材とを係合させることにより、前記壁面に前記被装着部材を着脱自在に装着させることを特徴とする壁面への装着方法。
【請求項２】
第１部材と第２部材とで構成され、前記第１部材と前記第２部材との夫々は、被装着部材と壁面とのうちのいずれかに結合させるための結合手段を有し、前記第１部材と前記第２部材とを着脱自在に係合させるための着脱手段を有することを特徴とする装着手段。
【請求項３】
前記着脱手段として面ファスナーを用いたことを特徴とする請求項２に記載の装着手段。
【請求項４】
前記結合手段として、貼着部材を用いたことを特徴とする請求項２に記載の装着手段。
【請求項５】
前記結合手段として、接着剤を用いたことを特徴とする請求項２に記載の装着手段。
【発明の詳細な説明】
【０００１】
【発明の属する技術分野】
本発明は、装置を鉛直面である壁面に装着するための、壁面への装着方法および装着手段に関する。
【０００２】
【従来の技術】
本発明は、先行技術の調査を行なうことなく、公知・効用の技術をもとに開発した発明であるため、出願人が知っている先行技術は、文献公知発明に該当しない。以下、公知・効用の「壁面への装着方法および装着手段」について説明する。
【０００３】
電気設備には接地のための接地線が配設されている。三相電流を用いた機器に事故が発生した場合には、接地線に零相電流以外の電流が流れることになる。このため、接地線に流れる零相電流以外の電流を検出して警報を発する絶縁監視端末装置が用いられる。この絶縁監視端末装置は、壁面に固定して用いられる。
【０００４】
従来の絶縁監視端末装置の壁面への装着方法は、壁や配電盤の内壁にタップ孔をあけ、ネジ止めにて絶縁監視端末装置を固定している。
【０００５】
あるいは、絶縁監視端末装置の背面にマグネットキャッチを取り付け、マグネットキャッチの磁力で鉄製の壁や配電盤の内壁に固定している。
【０００６】
【発明が解決しようとする課題】
ところが、新規に配電盤を制作した場合は、設計段階でタップ孔加工を追加しておくだけですむが、既存の配電盤に絶縁監視端末装置を取り付ける場合は、新たにタップ孔加工を行なう必要があって面倒である。一方、マグネットキャッチを用いる場合は、相手側が磁石にくっつかない材料であると使用できず、また、マグネットキャッチは振動に弱いため、重量が大きいと自重で滑り落ちる可能性がある。
【０００７】
そこで本発明は、斯かる課題を解決した壁面への装着方法および装着手段を提供することを目的とする。
【０００８】
【課題を解決するための手段】
斯かる目的を達成するための請求項１に係る壁面への装着方法の構成は、被装着部材と壁面とに、相互に着脱自在に係合する第１部材と第２部材とを個別に結合させた後に、前記第１部材と前記第２部材とを係合させることにより、前記壁面に前記被装着部材を着脱自在に装着させることを特徴とする。
【０００９】
斯かる壁面への装着方法では、第１部材と第２部材とを着脱自在に装着させるので、被装着部材を壁面に取り付けたり外したりするのが容易である。
【００１０】
請求項２に係る装着手段の構成は、第１部材と第２部材とで構成され、前記第１部材と前記第２部材との夫々は、被装着部材と壁面とのうちのいずれかに結合させるための結合手段を有し、前記第１部材と前記第２部材とを着脱自在に係合させるための着脱手段を有することを特徴とする。
【００１１】
斯かる装着手段では、第１部材と第２部材とを着脱自在に装着させるので、被装着部材を壁面に取り付けたり外したりするのが容易である。
【００１２】
請求項３に係る装着手段の構成は、請求項２において、前記着脱手段として面ファスナーを用いたことを特徴とする。
【００１３】
斯かる装着手段では、面ファスナーどうしの着脱により壁面への被装着部材の着脱が行なわれる。
【００１４】
請求項４に係る装着手段の構成は、請求項２において、前記結合手段として、貼着部材を用いたことを特徴とする。
【００１５】
斯かる装着手段では、貼着部材を用いて第１部材または第２部材を壁面に結合するので壁面への加工が不要であり、また装着が不要になった際には壁面に傷跡が残らない。
【００１６】
請求項５に係る装着手段の構成は、請求項２において、前記結合手段として、接着剤を用いたことを特徴とする。
【００１７】
斯かる装着手段では、接着剤を用いて第１部材または第２部材を壁面に結合するので壁面への加工が不要であり、また装着が不要になった際には壁面に傷跡が残らない。
【００１８】
【発明の実施の形態】
以下、本発明による壁面への装着方法および装着手段の実施の形態を、絶縁監視端末装置を壁面に取り付ける場合に適用して説明する。
【００１９】
図１に示すように、絶縁監視端末装置（被装着部材）１が装着手段２を介して壁面３に装着されている。
【００２０】
図１（ｂ）のＡ部の拡大図を図２（ａ）に示し、装着手段２を分離させた状態を図２（ｂ）に示すように、装着手段２は、壁面３に結合された第１部材４と、絶縁監視端末装置１に結合された第２部材５とによって構成されている。第１部材４は、壁面３に結合させるための貼着部材（結合手段）６と、第１部材４と第２部材５とを着脱自在に結合させる着脱手段としての一方の面ファスナー７とによって構成されている。貼着部材６としては、強力な両面テープが用いられ、その片面が面ファスナー７に貼着されている。面ファスナー７は樹脂で形成されており、ベース部９ａと、複数の突起部９ｂとで構成されている。突起部９ｂは、軸部１０ａと、軸部１０ａの先端に形成した略半球状の頭部１０ｂとで構成されている。第２部材５は第１部材４と略同じ構成であるが、第１部材４に比べて単位面積あたりの突起部９ｂの数が少ない面ファスナー８が用いられており、少し加圧すれば第１部材４の頭部１０ｂどうしの間に第２部材５の頭部１０ｂが入り込むようになっている。
【００２１】
斯かる装着手段２を用いて絶縁監視端末装置１を壁面３に取り付けるための手順を説明する。図３に示すように、絶縁監視端末装置１の背面の隅部の４箇所と、これに対応する壁面３の４箇所とに第２部材５と第１部材４とを取り付ける。その際には貼着部材６の部分に予め貼着してある図示しない台紙を剥がし、貼り付ける部分の汚れ等を落としてから第１部材４と第２部材５とを貼り付け、強く押さえる。
【００２２】
壁面３への第１部材４の位置決め作業を容易にするために、以下のようにしても良い。即ち、絶縁監視端末装置１の背面に第２部材５を貼着し、当該第２部材５に第１部材４を係合させた状態で絶縁監視端末装置１を壁面３へ押圧することにより、第１部材４の位置決めの作業を行なうことなく、第１部材４を壁面３へ貼着することができる。なお、図３において符号８で示す３つの孔は、ネジによって絶縁監視端末装置１を壁面に取り付ける場合の取付孔である。
【００２３】
このあと、図４のようにして、絶縁監視端末装置１に貼着した４つの第２部材５おける面ファスナー８の部分と、壁面３に貼着した４つの第１部材４における面ファスナー７の部分とを係合させる。その際に、面ファスナー７における多数の突起部９ｂどうしの間に、面ファスナー８における少ない数の突起部９ｂが押し込まれ、一旦押し込まれると、突起部９ｂにおける頭部１０ｂの顎の部分どうしが引っ掛かって干渉し、小さな力で引っ張っても抜けなくなる。すると、図２（ａ）のように第１部材４と第２部材５とが結合された状態となり、結果として絶縁監視端末装置１が壁面３に装着されたことになる。
【００２４】
図２（ａ）において、突起部９ｂの長さ方向である左方向へ、面ファスナー８がある程度の大きさの力で引っ張られると、面ファスナー７から面ファスナー８が分離するが、突起部９ｂの長さ方向とは直角の上下方向へ、面ファスナー８が相当大きな力で引っ張られても、面ファスナー８が面ファスナー７から分離することはない。このため、絶縁監視端末装置１の重量にも十分に耐えることができる。
【００２５】
次に、絶縁監視端末装置１を壁面３から取り外すときには、絶縁監視端末装置１を左方向へ、ある程度大きな力で引っ張る。すると、突起部９ｂが弾性変形するので、一方の突起部９ｂどうしの間から他方の突起部９ｂが引き抜かれ、面ファスナー７から面ファスナー８が剥がされる。以上のように、絶縁監視端末装置１の壁面３への装着と取り外しとがワンタッチで容易に行なえる。
【００２６】
絶縁監視端末装置１を壁面３に装着することが一切必要なくなった場合は、第１部材４を壁面３から剥がせばよいので、ネジを使った場合のようなタップ孔は残らず見栄えがよい。
【００２７】
結合手段としては、貼着部材に代えて接着剤を用いることもでき、その場合は壁面３から第１部材４を剥がすのに少し労力がかかるが、貼着部材６を用いた場合と同様にタップ孔は残らない。
【００２８】
なお、本実施の形態では被装着部材が絶縁監視端末装置の場合を示したが、絶縁監視端末装置に限らず、何であっても良い。また、面ファスナーの構成は、本実施の形態で示した構成に限らず種々の構成が考えられる。更に、着脱手段としては面ファスナーに限らず、ワンタッチで装着でき少し大きな力を加えて剥がせる構成のものであればなんでもよい。
【００２９】
【発明の効果】
以上の説明からわかるように、請求項１〜５に係る壁面への装着方法および装着手段によれば、壁面に結合した第１部材と被装着部材に結合した第２部材とを着脱することで、壁面への被装着部材の着脱を行なうので、従来のように壁面にタップ孔を設ける必要がなく、壁面への被装着部材の着脱を容易に行なうことができる。また、マグネットキャッチを用いて装着した場合のように、振動と自重とにより被装着部材が滑り落ちることもない。
【図面の簡単な説明】
【図１】本発明による壁面への装着方法および装着手段の実施の形態に係り、（ａ）は正面図、（ｂ）は側面図。
【図２】本発明による壁面への装着方法および装着手段の実施の形態に係り、図２（ａ）は図１（ｂ）のＡ部の拡大図、図２（ｂ）は装着手段を分離させた状態の拡大図。
【図３】本発明による壁面への装着方法および装着手段の実施の形態に係り、絶縁監視端末装置の背面図。
【図４】本発明による壁面への装着方法および装着手段の実施の形態を示す作用説明図。
【符号の説明】
１…絶縁監視端末装置
２…装着手段
３…壁面
４…第１部材
５…第２部材
６…貼着部材
７，８…面ファスナー
【図１】
2004169356.tif 000003
【図２】
2004169356.tif 000004
【図３】
2004169356.tif 000005
【図４】
2004169356.tif 000006